(57)【要約】【課題】拡散板上における導光ブロックの境界に倣う輝度低下の程度を緩和することができる面状光源装置を備え、表示画像における輝度の均一性に優れた液晶表示装置組立体を提供する。【解決手段】液晶表示装置、拡散板、及び、面状光源装置、を備えた液晶表示装置組立体であって、面状光源装置は、光源、及び、複数の導光ブロックを備えており、各導光ブロックは、頂面、底面、及び、側面を備えており、面状光源装置の光出射面は、敷き詰められた複数の導光ブロックの頂面から構成されており、一の導光ブロックの頂面の輪郭線の内、該一の導光ブロックの頂面と該一の導光ブロックに隣接する他の導光ブロックの頂面とが隣接する部分の輪郭線は、曲線及び／又は凹凸部を備える線から成り、且つ、該一の導光ブロックの頂面と該他の導光ブロックの頂面の内、これらの頂面が隣接する部分は相補的な形状を備えている。【選択図】  図１
2007206398.tif 000002
【特許請求の範囲】
【請求項１】
（ａ）液晶表示装置、
（ｂ）液晶表示装置と対向するように配置された拡散板、及び、
（ｃ）光を出射する光出射面を有し、拡散板と光出射面とが対向するように配置された面状光源装置、
を備えた液晶表示装置組立体であって、
面状光源装置は、
（Ａ）光源、及び、
（Ｂ）複数の導光ブロック、
を備えており、
各導光ブロックは、
（Ｃ）頂面、
（Ｄ）底面、及び、
（Ｅ）側面、
を備えており、
面状光源装置の光出射面は、敷き詰められた複数の導光ブロックの頂面から構成されており、
一の導光ブロックの頂面の輪郭線の内、他の導光ブロックの頂面の輪郭線に隣接する部分は、曲線及び／又は凹凸部を備える線から成り、
該一の導光ブロックの頂面の輪郭線と該他の導光ブロックの頂面の輪郭線の内、これらの輪郭線が隣接する部分は相補的な形状を備えていることを特徴とする液晶表示装置組立体。
【請求項２】
光源は導光ブロックの底面側に配置されていることを特徴とする請求項１に記載の液晶表示装置組立体。
【請求項３】
光源は導光ブロックの側面側に配置されていることを特徴とする請求項１に記載の液晶表示装置組立体。
【請求項４】
各導光ブロックは同一構造であることを特徴とする請求項１に記載の液晶表示装置組立体。
【請求項５】
（ａ）液晶表示装置、
（ｂ）液晶表示装置と対向するように配置された拡散板、及び、
（ｃ）光を出射する光出射面を有し、拡散板と光出射面とが対向するように配置された面状光源装置、
を備えた液晶表示装置組立体であって、
面状光源装置は、
（Ａ）光源、及び、
（Ｂ）複数の導光ブロック、
を備えており、
各導光ブロックは、
（Ｃ）頂面、
（Ｄ）底面、及び、
（Ｅ）側面、
を備えており、
面状光源装置の光出射面は、敷き詰められた複数の導光ブロックの頂面から構成されており、
一の導光ブロックの頂面の輪郭線と他の導光ブロックの頂面の輪郭線の内、これらの輪郭線が隣接する部分は相補的な形状を備えており、
該一の導光ブロックの側面の内、該他の導光ブロックの側面に隣接する部分は、該一の導光ブロックの頂面の輪郭線に倣う方向に間隔を空けて配置された複数の光拡散部を備えていることを特徴とする液晶表示装置組立体。
【請求項６】
光源は導光ブロックの底面側に配置されていることを特徴とする請求項５に記載の液晶表示装置組立体。
【請求項７】
光源は導光ブロックの側面側に配置されていることを特徴とする請求項５に記載の液晶表示装置組立体。
【請求項８】
各導光ブロックは同一構造であることを特徴とする請求項５に記載の液晶表示装置組立体。
【請求項９】
光を出射する光出射面を有し、拡散板と光出射面とが対向するように配置される面状光源装置であって、
面状光源装置は、
（Ａ）光源、及び、
（Ｂ）複数の導光ブロック、
を備えており、
各導光ブロックは、
（Ｃ）頂面、
（Ｄ）底面、及び、
（Ｅ）側面、
を備えており、
面状光源装置の光出射面は、敷き詰められた複数の導光ブロックの頂面から構成されており、
一の導光ブロックの頂面の輪郭線の内、他の導光ブロックの頂面の輪郭線に隣接する部分は、曲線及び／又は凹凸部を備える線から成り、
該一の導光ブロックの頂面の輪郭線と該他の導光ブロックの頂面の輪郭線の内、これらの輪郭線が隣接する部分は相補的な形状を備えていることを特徴とする面状光源装置。
【請求項１０】
光源は導光ブロックの底面側に配置されていることを特徴とする請求項９に記載の面状光源装置。
【請求項１１】
光源は導光ブロックの側面側に配置されていることを特徴とする請求項９に記載の面状光源装置。
【請求項１２】
各導光ブロックは同一構造であることを特徴とする請求項９に記載の面状光源装置。
【請求項１３】
光を出射する光出射面を有し、拡散板と光出射面とが対向するように配置される面状光源装置であって、
面状光源装置は、
（Ａ）光源、及び、
（Ｂ）複数の導光ブロック、
を備えており、
各導光ブロックは、
（Ｃ）頂面、
（Ｄ）底面、及び、
（Ｅ）側面、
を備えており、
面状光源装置の光出射面は、敷き詰められた複数の導光ブロックの頂面から構成されており、
一の導光ブロックの頂面の輪郭線と他の導光ブロックの頂面の輪郭線の内、これらの輪郭線が隣接する部分は相補的な形状を備えており、
該一の導光ブロックの側面の内、該他の導光ブロックの側面に隣接する部分は、該一の導光ブロックの頂面の輪郭線に倣う方向に間隔を空けて配置された複数の光拡散部を備えていることを特徴とする面状光源装置。
【請求項１４】
光源は導光ブロックの底面側に配置されていることを特徴とする請求項１３に記載の面状光源装置。
【請求項１５】
光源は導光ブロックの側面側に配置されていることを特徴とする請求項１３に記載の面状光源装置。
【請求項１６】
各導光ブロックは同一構造であることを特徴とする請求項１３に記載の面状光源装置。
【発明の詳細な説明】
【技術分野】
【０００１】
本発明は、面状光源装置及び液晶表示装置組立体に関する。
【背景技術】
【０００２】
液晶表示装置にあっては、液晶それ自体は発光しない。従って、例えば、液晶表示装置に対して光を照射する所謂直下型の面状光源装置（バックライト）をカラー液晶表示装置の背面に配置する。そして、各画素を構成する液晶セルを、一種の光シャッター（ライト・バルブ）として動作させることによって、即ち、各画素の光透過率を制御することによって、面状光源装置から射出された光（例えば、白色光）の光透過率を制御し、画像を表示している。カラー液晶表示装置の大型化に従い、面状光源装置（バックライト）も大型化しつつある。
【０００３】
面状光源装置の大型化に対応するために、ライトガイドとして機能する導光ブロックが複数組み合わされている面状光源装置が、例えば、特開２００３−２１５３５０号公報（特許文献１）や特開平１１−２８８６１１号公報（特許文献２）から周知である。
【０００４】
図１７の（Ａ）及び（Ｂ）に、面状光源装置を備えている液晶表示装置組立体の概念図を示す。この液晶表示装置組立体１は、所謂透過型の液晶表示装置１０、透過光を拡散させる拡散板２０、及び、面状光源装置６０を備えている。尚、図１７の（Ａ）では、便宜の為、液晶表示装置１０、拡散板２０、及び、後述する導光ブロック３０の一部を切り欠いた状態とした。同様に、図１７の（Ｂ）においても、拡散板２０の一部を切り欠いた状態とした。この面状光源装置６０は、直下型の面状光源装置であって、光源４０と複数の導光ブロック３０を組み合わせた構成を備えている。導光ブロック３０は、例えば、約１００ｍｍ×約６０ｍｍ×約１０ｍｍのアクリル系樹脂から成る略矩形の板であり、拡散板２０と対向する頂面３１、光源４０側の底面３２、及び、側面３３を備えている。導光ブロックの底面３２側には、光源４０（より具体的には、後述する発光ダイオード（ＬＥＤ）４１Ｒ，４１Ｇ，４１Ｂ）が収まる凹部３４が設けられている。９枚の導光ブロック３０はタイル状に配置されており、各導光ブロック３０は、図示せぬネジ等により、筐体５０の底板５１に固定されている。光源４０は、各導光ブロック３０に対応して、筐体５０の底板５１に取付られている。筐体５０の側板５２によって、タイル状に配置されている導光ブロック３０の外周が覆われている。
【０００５】
光源４０は、例えば、発光ダイオード（ＬＥＤ）４１Ｒ，４１Ｇ，４１Ｂの組から成る。発光ダイオード（ＬＥＤ）４１Ｒ，４１Ｇ，４１Ｂは、それぞれ、赤色光、緑色光、青色光を射出する。これらの光は、凹部３４から導光ブロック３０内に入射し、導光ブロック３０内で反射、散乱等により混色し白色光となり、頂面３１から出射される。頂面３１から出射した光は拡散板２０によって拡散され、液晶表示装置１０を照射する。そして、液晶表示装置１０を透過する光によって、所定の画像が表示される。
【０００６】
【特許文献１】特開２００３−２１５３５０号公報
【特許文献２】特開平１１−２８８６１１号公報
【発明の開示】
【発明が解決しようとする課題】
【０００７】
導光ブロックが複数組み合わされている面状光源装置においては、各導光ブロックの周辺部、特に、隣接する導光ブロック間の境界において、出射光の強度が不均一となり易い。面上光源装置の構成にもよるが、導光ブロックの境界においては、一般に出射光の強度が低下する。出射光は拡散板により拡散されるので、拡散板上における輝度はある程度均一化される。しかし、図１８に示すように、導光ブロックの境界における出射光の強度の不均一に起因して、拡散板上において導光ブロックの境界に倣うように相対的に輝度の低い領域が発生する。これにより、液晶表示装置組立体の表示画像においても輝度の均一性が低下し、表示画像の質が損なわれる。
【０００８】
従って、本発明の第１の目的は、拡散板上における導光ブロックの境界に倣う輝度低下の程度を緩和することができる面状光源装置を備え、表示画像における輝度の均一性に優れた液晶表示装置組立体を提供することにある。また、本発明の第２の目的は、拡散板上における導光ブロックの境界に倣う輝度低下の程度を緩和することができる面状光源装置を提供することにある。
【課題を解決するための手段】
【０００９】
上記の第１の目的を達成するための本発明の第１の態様あるいは第２の態様に係る液晶表示装置組立体は、
（ａ）液晶表示装置、
（ｂ）液晶表示装置と対向するように配置された拡散板、及び、
（ｃ）光を出射する光出射面を有し、拡散板と光出射面とが対向するように配置された面状光源装置、
を備えた液晶表示装置組立体に関する。
【００１０】
上記の第２の目的を達成するための本発明の第１の態様あるいは第２の態様に係る面状光源装置は、光を出射する光出射面を有し、拡散板と光出射面とが対向するように配置される面状光源装置に関する。
【００１１】
そして、上記の第１の目的を達成するための本発明の第１の態様あるいは第２の態様に係る液晶表示装置組立体を構成する面状光源装置、及び、上記の第２の目的を達成するための本発明の第１の態様あるいは第２の態様に係る面状光源装置は、
（Ａ）光源、及び、
（Ｂ）複数の導光ブロック、
を備えており、
各導光ブロックは、
（Ｃ）頂面、
（Ｄ）底面、及び、
（Ｅ）側面、
を備えており、
面状光源装置の光出射面は、敷き詰められた複数の導光ブロックの頂面から構成されている。
【００１２】
本発明の第１の態様に係る液晶表示装置組立体を構成する面状光源装置、及び、本発明の第１の態様に係る面状光源装置にあっては、一の導光ブロックの頂面の輪郭線の内、他の導光ブロックの頂面の輪郭線に隣接する部分は、曲線及び／又は凹凸部を備える線から成り、一の導光ブロックの頂面の輪郭線と他の導光ブロックの頂面の輪郭線の内、これらの輪郭線が隣接する部分は相補的な形状を備えていることを特徴とする。この構成によれば、隣接する導光ブロック間の境界は、「曲線及び／又は凹凸部を備える線」状となり、長く伸びる直線部を有さない。これにより、拡散板上において導光ブロックの境界に倣う輝度低下の程度を緩和することができる。「曲線」として、２次以上の多項式による曲線、二葉線、三葉線、四葉線、連珠形、蝸牛線、正葉線、螺獅線、疾走線、公算曲線、引弧線、懸垂線、擺線、餘擺線、星芒形、半３次放物線、リサジュー曲線、アーネシー曲線、外サイクロイド、心臓形、内サイクロイド、クロソイド曲線、螺線を例示することができる。また、「凹凸部を備える線」における凹部や凸部の形状は任意である。凹部や凸部は、曲線で構成されていてもよいし、直線線分や曲線が任意に組み合わされて構成されていてもよい。凹部や凸部は、直線的に配列していてもよいし、曲線的に配列していてもよい。凹部や凸部は、一定の間隔で配置されていてもよいし、ランダムな間隔で配置されていてもよい。凹部や凸部は、連続的に配置されていてもよいし、離散的に配置されていてよい。凹部や凸部が離散的に配置されている場合には、これらの間は直線線分或いは任意の曲線で結ばれていればよい。「凹凸部を備える線」として、正弦波、方形波、鋸歯状波等の波形状の線を例示することができる。定性的には、凹部や凸部が配置される間隔は短い程好ましく、凹部や凸部の突出高さは高い程好ましい。導光ブロックの側面は、導光ブロックを構成する材料の地の面（例えば、平滑に形成された面）であってもよいし、例えばその上に金属の蒸着等により光反射部が形成されていてもよいし、白色塗料の塗布等により光拡散部が形成されていてもよい。光拡散部や光反射部は広く周知の方法により形成することができる。例えば、光拡散部を、サンドブラスト法等により導光ブロックの材料の地を梨地状（即ち、微細な凹凸面）に加工して形成することもできる。
【００１３】
本発明の第２の態様に係る液晶表示装置組立体を構成する面状光源装置、及び、本発明の第２の態様に係る面状光源装置にあっては、一の導光ブロックの頂面の輪郭線と他の導光ブロックの頂面の輪郭線の内、これらの輪郭線が隣接する部分は相補的な形状を備えており、一の導光ブロックの側面の内、他の導光ブロックの側面に隣接する部分は、一の導光ブロックの頂面の輪郭線に倣う方向に間隔を空けて配置された複数の光拡散部を備えていることを特徴とする。背景技術において説明したように、隣接する導光ブロック間の境界においては、一般に出射光の強度が低下する。この構成によれば、隣接する導光ブロック間の境界において、側面に光拡散部がある部分とそれ以外の部分では、出射光の強度の低下の程度に差が生ずる。即ち、隣接する導光ブロック間の境界においては、出射光の強度の低下の程度の強い部分と弱い部分とが交互に生ずる。これにより、拡散板上において導光ブロックの境界に倣う輝度低下の程度を緩和することができる。一の導光ブロックの頂面の輪郭線の内、他の導光ブロックの頂面の輪郭線に隣接する部分は、直線線分であってもよいし、上述した「曲線及び／又は凹凸部を備える線」であってもよい。光拡散部は、導光ブロックの側面において、頂面及び／又は底面に亙るように設けられていてもよいし、頂面及び底面に亙らないように設けられていてもよい。光拡散部と光拡散部との間は、導光ブロックを構成する材料の地のままであってもよいし、例えば、金属の蒸着等により形成された光反射部であってもよい。光拡散部や光反射部は、上述したと同様の方法により形成することができる。
【００１４】
本発明の第１の態様あるいは第２の態様に係る液晶表示装置組立体を構成する面状光源装置、及び、本発明の第１の態様あるいは第２の態様に係る面状光源装置（以下、これらを総称して、本発明の面状光源装置と呼ぶ場合がある）にあっては、光源は導光ブロックの底面側に配置されている構成とすることができるし、あるいは又、光源は導光ブロックの側面側に配置されている構成とすることもできる。共通の光源が複数の導光ブロックに対応する態様であってもよいし、各導光ブロック毎に独立した光源が対応する態様であってもよい。例えば、共通の光源として長尺の蛍光ランプを平面上に複数本配置し、その平面に倣って複数の導光ブロックが配置されていてもよいし、各導光ブロックに個別の光源が独立して対応する態様であってもよい。各導光ブロックに個別の光源が独立して対応する場合には、各光源の発光量が個別に制御される態様であってもよい。面状光源装置の光射出面を複数の領域に分割し、各領域に対応する光源の発光量が個別に制御される態様であってもよい。
【００１５】
本発明の面状光源装置にあっては、面状光源装置の光出射面は、敷き詰められた複数の導光ブロックの頂面から構成されている。換言すれば、光射出面は導光ブロック群によって形成されている。この導光ブロック群は、同一構造の導光ブロックから成る構成であってもよいし、複数の異なる構造の導光ブロックから成る構成であってもよい。面状光源装置のコスト低減の観点からは、導光ブロックの種類は少ないことが望ましく、導光ブロックが同一構造である態様はより好ましい。導光ブロックの頂面の形状は任意であり、例えば、頂面の形状を略多角形形状とすることができる。特に、同一構造の導光ブロックにより光出射面を構成する場合には、頂面の形状を略矩形形状、略三角形形状、又は、略六角形形状とするのが便宜である。略多角形形状の各辺に相当する部分は、曲線状であってもよい。例えば、略三日月形状の頂面を有する同一構造のブロックから成る構成とすることもできる。導光ブロックの側面は、頂面に対して垂直であってもよいし、頂面に対して斜めであってもよい。また、導光ブロックの側面に段が設けられていてもよい。例えば、各導光ブロックの側面側に光源を配置する場合には、側面の底面側が頂面側よりも内側になるように段を設け、底面側の側面に光源を配置してもよい。
【００１６】
以上に説明した各種の好ましい構成、形態を含む本発明の第１の態様あるいは第２の態様に係る液晶表示装置組立体、及び、本発明の面状光源装置（以下、これらを総称して、単に、本発明と呼ぶ場合がある）にあっては、導光ブロックを構成する材料として、光源からの光に対して透明な材料、即ち、光源が射出する光を余り吸収することの無い材料から導光ブロックを作製することが好ましい。具体的には、導光ブロックを構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。導光ブロックの底面に、光拡散部や光反射部が設けられていてもよい。光拡散部や光反射部は、上述したと同様の方法により形成することができる。
【００１７】
本発明にあっては、導光ブロックの熱膨張による変形等を考慮して、導光ブロック間に所定の間隙を空けることが好ましい。具体的には、一の導光ブロックの頂面の輪郭線と他の導光ブロックの頂面の輪郭線の内、これらの輪郭線が隣接する部分に、間隙（例えば１ｍｍ程度）を空けることが好ましい。間隔の幅は、導光ブロックの大きさや熱膨張の程度を勘案して、適宜決定すればよい。導光ブロックの側面が隣接する部分の間隙についても同様である。
【００１８】
本発明にあっては、光源と対向する導光ブロックの面には、光源からの光を導光ブロック内に好適な角度で入射させるために、凹部が設けられていてもよい。凹部の形状として、角錐、円錐、円柱、三角柱や四角柱を含む多角柱、球の一部、回転楕円体の一部、回転放物線体の一部、回転双曲線体の一部といった各種の滑らかな曲面を例示することができる。
【００１９】
本発明にあっては、面状光源装置を構成する光源として、冷陰極線型の蛍光ランプ、冷陰極線型の蛍光ランプ、発光ダイオード（ＬＥＤ：Light Emitting Diode）等、広く周知の光源を用いることができる。蛍光ランプの形状は、直線状（直管状）、「Ｕ」字状、連続した「Ｕ」字状、「Ｓ」字状、連続した「Ｓ」字状、「Ｗ」字状等、蛍光ランプに要求される仕様に基づき決定すればよい。また、光源の発光色は、面状光源装置に要求される仕様に基づき決定すればよい。例えば、面状光源装置の発光色を白色とする場合、光源を、白色蛍光体が塗られた蛍光ランプ、白色発光ダイオード（例えば、紫外又は青色発光ダイオードと蛍光体粒子とを組み合わせて白色を発光する発光ダイオード）、又は、赤色（例えば、波長６４０ｎｍ）を発光する赤色発光ダイオード、緑色（例えば、波長５３０ｎｍ）を発光する緑色発光ダイオード、及び、青色（例えば、波長４５０ｎｍ）を発光する青色発光ダイオードのから成る発光ダイオード群等から構成することができる。尚、赤色、緑色、青色以外の第４番目の色を発光する発光ダイオードを更に備えていてもよい。発光ダイオードから成る光源は占有体積も小さく、各導光ブロックに個別の光源が独立して対応する構成に用いるのに好適である。
【００２０】
光源を構成する発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に射出される構造としてもよいし、発光層からの光が基板を通過して外部に射出される構造としてもよい。より具体的には、発光ダイオード（ＬＥＤ）は、例えば、基板上に形成された第１導電型（例えばｎ型）を有する化合物半導体層から成る第１クラッド層、第１クラッド層上に形成された活性層、活性層上に形成された第２導電型（例えばｐ型）を有する化合物半導体層から成る第２クラッド層の積層構造を有し、第１クラッド層に電気的に接続された第１電極、及び、第２クラッド層に電気的に接続された第２電極を備えている。発光ダイオードを構成する層は、発光波長に依存して、周知の化合物半導体材料から構成すればよい。ランバーシアン方式のように、直進方向への光強度が強いレンズを発光ダイオードの光射出部分に取り付けてもよい。あるいは又、発光ダイオードに光取出しレンズを取り付けた発光ダイオード組立体を光源として使用し、発光ダイオードから射出された光が、光取出しレンズの頂面において全反射され、光取出しレンズの水平方向に主に射出される２次元方向射出構成を挙げることができる。このような構成は、例えば、日経エレクトロニクス  ２００４年１２月２０日第８８９号の第１２８ページに開示されている。
【００２１】
本発明にあっては、拡散板の他、拡散シート、プリズムシート、偏光変換シートといった光学機能シート群や、反射シートを介して、面状光源装置の光が照射される態様であってもよい。光学機能シート群は、離間配置された各種シートから構成されていてもよいし、積層され一体として構成されていてもよい。例えば、拡散板、プリズムシート、偏光変換シート等が積層され一体となっていてもよい。
【００２２】
本発明に用いられる液晶表示装置は、モノクロ液晶表示装置であってもよいし、カラー液晶表示装置であってもよい。液晶表示装置は、例えば、透明第１電極を備えたフロント・パネル、透明第２電極を備えたリア・パネル、及び、フロント・パネルとリア・パネルとの間に配された液晶材料から成る。
【００２３】
ここで、フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、カラー液晶表示装置では、フロント・パネルは、第１の基板の内面に、アクリル系樹脂やエポキシ系樹脂から成るオーバーコート層によって被覆されたカラーフィルターが設けられ、オーバーコート層上に透明第１電極が形成された構成を有している。透明第１電極上には配向膜が形成されている。カラーフィルターの配置パターンとして、デルタ配列、ストライプ配列、ダイアゴナル配列、レクタングル配列を挙げることができる。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００２４】
尚、カラー液晶表示装置では、透明第１電極と透明第２電極の重複領域であって液晶セルを含む領域が１副画素（サブピクセル）に該当する。そして、各画素（ピクセル）を構成する赤色発光副画素は、係る領域と赤色を透過するカラーフィルターとの組合せから構成され、緑色発光副画素は、係る領域と緑色を透過するカラーフィルターとの組合せから構成され、青色発光副画素は、係る領域と青色を透過するカラーフィルターとの組合せから構成されている。赤色発光副画素、緑色発光副画素及び青色発光副画素に配置パターンは、上述したカラーフィルターの配置パターンと一致する。
【００２５】
２次元マトリクス状に配列された画素（ピクセル）の数Ｍ0×Ｎ0を（Ｍ0，Ｎ0）で表記したとき、（Ｍ0，Ｎ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００２６】
液晶表示装置及び面状光源装置を駆動するための駆動回路は、例えば、パルス幅変調（ＰＷＭ）信号発生回路、デューティ比制御回路、発光ダイオード（ＬＥＤ）駆動回路、演算回路、記憶装置（メモリ）等から構成された面状光源装置制御回路、及び、タイミングコントローラ等の周知の回路から構成された液晶表示装置駆動回路を備えている。尚、駆動回路に電気信号として１秒間に送られる画像情報の数（毎秒画像）がフレーム周波数（フレームレート）であり、フレーム周波数の逆数がフレーム時間（単位：秒）である。
【発明の効果】
【００２７】
本発明の第１の態様に係る液晶表示装置組立体を構成する面状光源装置、及び、本発明の第１の態様に係る面状光源装置にあっては、隣接する導光ブロック間の境界は、「曲線及び／又は凹凸部を備える線」状であり、拡散板上において導光ブロックの境界に倣う輝度低下の程度が緩和される。これにより、表示画像における輝度の均一性に優れた液晶表示装置組立体を得ることができる。
【００２８】
本発明の第２の態様に係る液晶表示装置組立体を構成する面状光源装置、及び、本発明の第２の態様に係る面状光源装置にあっては、隣接する導光ブロック間の境界においては、出射光の強度の低下の程度の強い部分と弱い部分とが交互に生じ、拡散板上において導光ブロックの境界に倣う輝度低下の程度が緩和される。これにより、表示画像における輝度の均一性に優れた液晶表示装置組立体を得ることができる。
【発明を実施するための最良の形態】
【００２９】
以下、図面を参照して、実施例に基づき本発明を説明する。
【実施例１】
【００３０】
実施例１は、本発明の第１の態様に係る液晶表示装置組立体、及び、本発明の第１の態様に係る面状光源装置に関する。図１の（Ａ）は、実施例１の液晶表示装置組立体１００及び面状光源装置１６０の模式的な概念図である。図１の（Ｂ）は、実施例１の液晶表示装置組立体１００及び面状光源装置１６０の模式的な一部断面図である。尚、図１の（Ａ）では、便宜の為、後述する液晶表示装置１０、拡散板２０、及び、後述する導光ブロック1３０の一部を切り欠いた状態とした。同様に、図１の（Ｂ）においても、拡散板２０の一部を切り欠いた状態とした。
【００３１】
実施例１の液晶表示装置組立体１００は、
（ａ）液晶表示装置１０、
（ｂ）液晶表示装置１０と対向するように配置された拡散板２０、及び、
（ｃ）光を出射する光出射面を有し、拡散板２０と光出射面とが対向するように配置された面状光源装置１６０、
を備えている。後述する他の実施例においても同様である。
【００３２】
そして、実施例１の面状光源装置１６０は、
（Ａ）光源４０、及び、
（Ｂ）複数の導光ブロック１３０、
を備えており、
各導光ブロック１３０は、
（Ｃ）頂面１３１、
（Ｄ）底面１３２、及び、
（Ｅ）側面１３３、
を備えている。後述する他の実施例においても同様である。
【００３３】
先ず、実施例１の液晶表示装置組立体１００の基本的な構成及び動作について説明する。
【００３４】
液晶表示装置１０は透過型のカラー液晶表示装置であり、透明第１電極を備えたフロント・パネル、透明第２電極を備えたリア・パネル、及び、フロント・パネルとリア・パネルとの間に配された液晶材料から成る。尚、これらの透過型のカラー液晶表示装置を構成する各種の部材や、液晶材料は、周知の部材、材料から構成することができるので、詳細な説明は省略する。後述する他の実施例においても同様である。
【００３５】
面状光源装置１６０は、直下型の面状光源装置であって、光源４０と複数の導光ブロック１３０、より具体的には、導光ブロック１３０を９枚組み合わせた構成を備えている。導光ブロック１３０は、例えば、約１００ｍｍ×約６０ｍｍ×約１０ｍｍのアクリル系樹脂から成る略矩形の板である。後述する他の実施例においても同様である。
【００３６】
導光ブロック１３０は、拡散板２０と対向する頂面１３１、光源４０側の底面１３２、及び、側面１３３を備えている。９枚の導光ブロック１３０はタイル状に配置されており、各導光ブロック１３０は、図示せぬネジ等により、筐体５０の底板５１に固定されている。後述する他の実施例においても同様である。
【００３７】
導光ブロックの底面１３２側には、光源４０（より具体的には、後述する発光ダイオード（ＬＥＤ）４１Ｒ，４１Ｇ，４１Ｂ）が収まる、凹部１３４が設けられている。実施例１では、凹部１３４の形状を円柱形状としたが、これに限るものではない。
【００３８】
光源４０は、各導光ブロック１３０に対応して、筐体５０の底板５１に取付られている。即ち、光源４０は導光ブロック１３０の底面１３２側に配置されている。筐体５０の側板５２によって、タイル状に配置されている導光ブロック１３０の外周が覆われている。後述する他の実施例においても同様である。
【００３９】
光源４０は、例えば、発光ダイオード（ＬＥＤ）４１Ｒ，４１Ｇ，４１Ｂの組から成る。図示せぬ面状光源装置制御回路によって、例えば各光源４０が一定の光量で光るように駆動され、発光ダイオード（ＬＥＤ）４１Ｒ，４１Ｇ，４１Ｂは、それぞれ、赤色光、緑色光、青色光を射出する。これらの光は、凹部１３４から導光ブロック１３０内に入射し、導光ブロック１３０内で反射、散乱等により混色し白色光となり、頂面１３１から出射される。頂面１３１から出射した光は拡散板２０によって拡散され、液晶表示装置１０に照射される。尚、導光ブロック１３０内での混色を促すため、例えば白色塗料が底面１３２（凹部１３４を除く）及び側面１３３上に塗布されていてもよい。面状光源装置１６０の光出射面は、敷き詰められた複数の導光ブロック１３０の頂面１３１から構成されている。後述する他の実施例においても同様である。
【００４０】
尚、液晶表示装置１０及び拡散板２０は、例えば図示せぬフレーム等により保持されている。拡散板２０は、導光ブロック１３０の頂面１３１から約１０ｍｍ離間した位置に保持されている。後述する他の実施例においても同様である。
【００４１】
また、図示せぬ液晶表示装置駆動回路によって、表示すべき画像の明るさに応じて液晶表示装置１０の画素を構成する液晶セルの光透過率が制御される。そして、液晶表示装置１０を透過する光によって、所定の画像が表示される。後述する他の実施例においても同様である。
【００４２】
以上、実施例１の液晶表示装置組立体１００の基本的な構成及び動作について説明した。次いで、図２を参照して、面状光源装置１６０を構成する導光ブロック１３０の詳細について説明する。
【００４３】
図２の（Ａ）は、導光ブロック１３０の模式的な平面図である。図２の（Ｂ）の左側の図は、導光ブロック１３０を矢印Ａの方向から見た側面図であり、右側は導光ブロック１３０を矢印Ｂの方向から見た側面図である。図２の（Ａ）に示すように、導光ブロックの頂面１３１の輪郭線は略正弦波形状の線により構成されている。実施例１では、導光ブロックの頂面１３１の輪郭線の振幅を約５ｍｍとし、側面１３３Ａ，１３３Ｂに対応する輪郭線の部分に約６周期分、側面１３３Ｃ，１３３Ｄに対応する輪郭線の部分に約４周期分を配したが、これに限るものではない。
【００４４】
導光ブロックの頂面１３１の輪郭線の内、側面１３３Ａと側面１３３Ｂとに対応する部分の輪郭線は同一形状であり、これらの輪郭線は相補的な形状である。また、導光ブロックの頂面１３１の輪郭線の内、側面１３３Ｃと側面１３３Ｄとに対応する部分の輪郭線は同一形状であり、これらの輪郭線は相補的な形状である。
【００４５】
そして、側面１３３（より具体的には、側面１３３Ａ，１３３Ｂ，１３３Ｃ，１３３Ｄ）は、頂面１３１と垂直であって導光ブロックの頂面１３１の輪郭線に倣った波面で構成されている。従って、側面１３３Ａと１３３Ｂとは相補的な形状であり、側面１３３Ｃと１３３Ｄとは相補的な形状である。
【００４６】
以上、導光ブロック１３０の詳細について説明した。次いで、面状光源装置１６０における導光ブロック１３０間の境界付近の構造について説明する。
【００４７】
既に説明したように、面状光源装置１６０の光出射面は、敷き詰められた複数の導光ブロック１３０の頂面１３１から構成されている。そして、実施例１では、各導光ブロック１３０は同一構造である。図３は、面状光源装置１６０において中央に配置された導光ブロック１３０と、これに隣接する他の導光ブロック１３０の隣接部の詳細図である。便宜のため、図３においては、中央に配置された導光ブロックを導光ブロック１３０Ｃとし、導光ブロック１３０Ｃの上下左右に隣接する導光ブロックを、それぞれ導光ブロック１３０Ｔ，１３０Ｂ，１３０Ｌ，１３０Ｒとして示した。
【００４８】
実施例１の面状光源装置１６０においては、一の導光ブロック１３０Ｃの頂面１３１の輪郭線の内、他の導光ブロック１３０Ｔ，１３０Ｂ，１３０Ｌ，１３０Ｒの頂面１３１の輪郭線に隣接する部分は、曲線及び／又は凹凸部を備える線（より具体的には、上述した略正弦波形状の線）から成る。尚、これらの頂面１３１の輪郭線が隣接する部分の間隙は約１ｍｍとした。側面１３３が隣接する部分の間隙についても同様である。
【００４９】
また、既に説明したように、導光ブロック１３０の頂面１３１のうち、側面１３３Ａ付近と側面１３３Ｂ付近とは相補的な形状であり、導光ブロック１３０の頂面１３１のうち、側面１３３Ｃ付近と側面１３３Ｄ付近とは相補的な形状である。従って、一の導光ブロック１３０Ｃの頂面１３１の輪郭線と他の導光ブロック１３０Ｔ，１３０Ｂ，１３０Ｌ，１３０Ｒの頂面１３１の輪郭線の内、これらの輪郭線が隣接する部分は相補的な形状を備えている。
【００５０】
上述した構成によれば、面状光源装置１６０にあっては、隣接する導光ブロック１３０間の境界は、「曲線及び／又は凹凸部を備える線」状となる。従って、導光ブロック１３０間の境界は長く伸びる直線部を有さない。これにより、拡散板２０上において導光ブロック１３０の境界に倣う輝度低下の程度を緩和することができる。
【００５１】
以下、図４〜図８を用いて、拡散板２０上における輝度分布について説明する。尚、測定の便宜上、導光ブロックは６枚をタイル状に配置した状態で測定を行った。
【００５２】
先ず、実施例１の面状光源装置１６０を構成する導光ブロック１３０を用いた場合について説明する。図４は、実施例１における拡散板上における輝度分布を説明するための図である。図４の（Ａ）は、導光ブロック１３０の配置の模式図である。図４の（Ｂ）は、導光ブロック１３０の頂面１３１上の輝度分布である。図４の（Ｃ）は、拡散板２０上における輝度分布である。
【００５３】
次いで、比較例として、背景技術で説明した導光ブロック３０を用いた場合について説明する。図５は、比較例における拡散板上における輝度分布を説明するための図である。図５の（Ａ）は、導光ブロック３０の配置の模式図である。図５の（Ｂ）は、導光ブロック３０の頂面３１上の輝度分布である。図５の（Ｃ）は、拡散板２０上における輝度分布である。
【００５４】
図４の（Ｃ）と図５の（Ｃ）とを対比すると、図４の（Ｃ）は、導光ブロックの境界に倣う輝度低下の程度が、図５の（Ｃ）よりも緩和されている。
【００５５】
更に、比較例として、実施例１で用いた導光ブロック１３０と、背景技術で説明した導光ブロック３０を組み合わせた場合ついて説明する。図６は、比較例における拡散板上における輝度分布を説明するための図である。図６の（Ａ）は、導光ブロック１３０，３０の配置の模式図である。図６の（Ｂ）は、導光ブロック１３０，３０の頂面１３１，３１上の輝度分布である。図６の（Ｃ）は、拡散板２０上における輝度分布である。また、図７は、図６の（Ｃ）における輝度のピーク値を基準に正規化した輝度分布のグラフと導光ブロックの配置との関係を示した斜視図である。
【００５６】
図７においては、導光ブロック３０の境界Ａ及び境界Ｂに対応する位置に対応して、輝度分布のグラフに変動が認められる。これに対し、実施例１で用いた導光ブロック１３０における境界Ａ’、境界Ｂ’に対応する輝度の変動は、より軽微である。この結果からも、拡散板２０上において導光ブロック１３０の境界に倣う輝度低下の程度が緩和されることが確認できる。
【００５７】
以上、実施例１の液晶表示装置組立体１００及び面状光源装置１６０について説明したが、変形例について簡単に説明する。
【００５８】
図８の（Ａ）及び（Ｂ）は、導光ブロック１３０の変形例であり、光源４０を導光ブロック１３０の側面側に配置する場合の一例を示したものである。図８の（Ａ）は変形例の導光ブロック１３０の平面図であり、図８の（Ｂ）の左側の図は、変形例の導光ブロック１３０を矢印Ａの方向から見た側面図であり、右側は変形例の導光ブロック１３０を矢印Ｂの方向から見た側面図である。側面１３３Ａ，１３３Ｂ，１３３Ｃ，１３３Ｄの底面１３２側が頂面１３１側よりも内側になるように段が設けられており、底部１３２側の側面に光源４０が配置されている。尚、参考のため光源４０を細線の波線で示した。
【００５９】
図９の（Ａ）及び（Ｂ）は、導光ブロック１３０について、導光ブロックが隣接して対向しない部分を直線状とした場合の例である。図９の（Ａ）は、変形例の液晶表示装置組立体１００及び面状光源装置１６０の模式的な概念図であり、図９の（Ｂ）は、変形例における液晶表示装置組立体１００及び面状光源装置１６０の模式的な一部断面図である。
【００６０】
図１０の（Ａ）及び（Ｂ）は、導光ブロック１３０の頂面の輪郭線を変えた変形例である。具体的には、輪郭線を方形波状の線とした場合の例である。図１０の（Ａ）は、変形例の液晶表示装置組立体１００及び面状光源装置１６０の模式的な概念図であり、図１０の（Ｂ）は、変形例における液晶表示装置組立体１００及び面状光源装置１６０の模式的な一部断面図である。
【００６１】
図１１は、図９と同様に導光ブロックが隣接して対向しない部分を直線状とした場合の変形例である。図１０の（Ａ）は、変形例の液晶表示装置組立体１００及び面状光源装置１６０の模式的な概念図であり、図１０の（Ｂ）は、変形例における液晶表示装置組立体１００及び面状光源装置１６０の模式的な一部断面図である。
【実施例２】
【００６２】
実施例２は、本発明の第２の態様に係る液晶表示装置組立体、及び、本発明の第２の態様に係る面状光源装置に関する。図１２の（Ａ）は、実施例２の液晶表示装置組立体２００及び面状光源装置２６０の模式的な概念図である。図１２の（Ｂ）は、実施例２の液晶表示装置組立体２００及び面状光源装置２６０の模式的な一部断面図である。尚、図１２の（Ａ）では、便宜の為、後述する液晶表示装置１０、拡散板２０、及び、後述する導光ブロック２３０の一部を切り欠いた状態とした。同様に、図１２の（Ｂ）においても、拡散板２０の一部を切り欠いた状態とした。
【００６３】
実施例２において、一の導光ブロックの側面の内、他の導光ブロックの側面に隣接する部分は、一の導光ブロックの頂面の輪郭線に倣う方向に間隔を空けて配置された複数の光拡散部を備えている点が、実施例１と主に相違する。液晶表示装置組立体２００及び面状光源装置２６０の基本的な構成及び動作は、実施例１で説明したと同様であるので、説明を省略する。
【００６４】
次いで、図１２及び図１３を参照して、面状光源装置２６０を構成する導光ブロック２３０の詳細について説明する。
【００６５】
導光ブロック２３０は、背景技術で説明した導光ブロック３０と同様に、例えば、約１００ｍｍ×約６０ｍｍ×約１０ｍｍのアクリル系樹脂から成る略矩形の板であり、拡散板２０と対向する頂面２３１、光源４０側の底面２３２、及び、側面２３３を備えている。導光ブロックの底面２３２側には、光源４０（より具体的には、後述する発光ダイオード（ＬＥＤ）４１Ｒ，４１Ｇ，４１Ｂ）が収まる、凹部２３４が設けられている。凹部２３４は、実施例１における凹部１３４と同一構造である。尚、導光ブロック２３０内での混色を促すため、例えば白色塗料が底面２３２（凹部２３４を除く）上に塗布されていてもよい。
【００６６】
図１３の（Ａ）は、導光ブロック２３０の模式的な平面図である。図１３の（Ｂ）は、導光ブロック２３０の頂面２３１及び側面２３３（より具体的には、側面２３３Ａ，２３３Ｂ，２３３Ｃ，２３３Ｄ）の模式的な展開図である。図１３の（Ａ）に示すように、導光ブロックの頂面２３１は矩形であり、その輪郭線は直線線分により構成されているが、これに限るものではない。
【００６７】
そして、側面２３３Ａ，２３３Ｂ，２３３Ｃ，２３３Ｄには、導光ブロック２３０の頂面２３１の輪郭線に倣う方向に間隔を空けて複数の光拡散部ＤＡが配置されている。実施例２では、マスクを介して白色塗料を塗布することにより光拡散部ＤＡを形成した。光拡散部ＤＡと光拡散部ＤＡとの間の領域は、導光ブロック２３０を構成するアクリル系樹脂の地の平滑面から成る光透過面ＴＡとしたが、金属膜等を形成して光反射部としてもよい。図１３の（Ｂ）に示すように、側面２３３Ａ，２３３Ｂには光拡散部ＤＡと光透過面ＴＡが４組、側面２３３Ｃ，２３３Ｄには光拡散部ＤＡと光透過面ＴＡが３組形成されているが、これに限るものではない。
【００６８】
実施例２では、側面２３３Ａにおける光拡散部ＤＡと側面２３３Ｂにおける透過領域ＴＡは対向して配置されている。同様に、側面２３３Ａにおける透過領域ＴＡと側面２３３Ｂにおける光拡散部ＤＡも対向して配置されている。側面２３３Ｃと側面２３３Ｄに関しても同様である。
【００６９】
実施例１で説明したと同様に、導光ブロック２３０の頂面２３１の輪郭線の内、側面２３３Ａと側面２３３Ｂとに対応する部分の輪郭線は同一形状であり、これらの輪郭線は相補的な形状である。また、導光ブロックの頂面２３１の輪郭線の内、側面２３３Ｃと側面２３３Ｄとに対応する部分の輪郭線は同一形状であり、これらの輪郭線は相補的な形状である。
【００７０】
そして、側面２３３（より具体的には、側面２３３Ａ，２３３Ｂ，２３３Ｃ，２３３Ｄ）は、頂面２３１と垂直であって導光ブロックの頂面２３１の輪郭線に倣った平面で構成されている。従って、側面２３３Ａと２３３Ｂとは相補的な形状であり、側面２３３Ｃと２３３Ｄとは相補的な形状である。
【００７１】
以上、導光ブロック２３０の詳細について説明した。次いで、面状光源装置２６０における導光ブロック２３０間の境界付近の構造について説明する。
【００７２】
実施例１で説明したと同様に、面状光源装置２６０の光出射面は、敷き詰められた複数の導光ブロック２３０の頂面２３１から構成されている。そして、実施例２においても、各導光ブロック２３０は同一構造である。図１４は、面状光源装置２６０において中央に配置された導光ブロック２３０と、これに隣接する他の導光ブロック２３０との隣接部の詳細図である。図４と同様に、便宜のため、図１４においては、中央に配置された導光ブロックを導光ブロック２３０Ｃとし、導光ブロック２３０Ｃの上下左右に隣接する導光ブロックを、それぞれ導光ブロック２３０Ｔ，２３０Ｂ，２３０Ｌ，２３０Ｒとして示した。
【００７３】
実施例２の面状光源装置２６０においては、一の導光ブロック２３０Ｃの頂面２３１の輪郭線の内、他の導光ブロック２３０Ｔ，２３０Ｂ，２３０Ｌ，２３０Ｒの頂面２３１の輪郭線に隣接する部分は、直線線分から成る。尚、これらの頂面２３１の輪郭線が隣接する部分の間隙は約１ｍｍとした。側面２３３が隣接する部分の間隙についても同様である。
【００７４】
また、既に説明したように、導光ブロック２３０の頂面２３１の輪郭線の内、側面２３３Ａと側面２３３Ｂとに対応する部分の輪郭線は同一形状であり、これらの輪郭線は相補的な形状である。また、導光ブロック２３０の頂面２３１の輪郭線の内、側面２３３Ｃと側面２３３Ｄとに対応する部分の輪郭線は同一形状であり、これらの輪郭線は相補的な形状である。従って、一の導光ブロック２３０Ｃの頂面２３１の輪郭線と他の導光ブロック２３０Ｔ，２３０Ｂ，２３０Ｌ，２３０Ｒの頂面２３１の輪郭線の内、これらの輪郭線が隣接する部分は相補的な形状を備えている。
【００７５】
そして、上述した構成によれば、面状光源装置２６０にあっては、例えば一の導光ブロック２３０Ｃの側面２３３の内、他の導光ブロック２３０Ｔ，２３０Ｂ，２３０Ｌ，２３０Ｒの側面２３３に隣接する部分は、一の導光ブロック２３０Ｃの頂面２３１の輪郭線に倣う方向に間隔を空けて配置された複数の光拡散部ＤＡを備えている。
【００７６】
この構成によれば、隣接する導光ブロック２３０間の境界においては、出射光の強度の低下の程度の強い部分と弱い部分とが交互に生ずる。これにより、拡散板２０上において導光ブロック２３０の境界に倣う輝度低下の程度を緩和することができる。
【００７７】
以上、実施例２の液晶表示装置組立体２００及び面状光源装置２６０について説明したが、変形例について簡単に説明する。
【００７８】
図１５の（Ａ）及び（Ｂ）は、導光ブロック２３０の変形例である。図１５の（Ａ）は、導光ブロック２３０の変形例の模式的な平面図である。図１５の（Ｂ）は、導光ブロック２３０の変形例の頂面２３１及び側面２３３（より具体的には、側面２３３Ａ，２３３Ｂ，２３３Ｃ，２３３Ｄ）の模式的な展開図である。この変形例では、側面２３３Ａにおける光拡散部ＤＡと側面２３３Ｂにおける光拡散部ＤＡは対向して配置されている。同様に、側面２３３Ａにおける光透過面ＴＡと側面２３３Ｂにおける光透過面ＴＡも対向して配置されている。側面２３３Ｃと側面２３３Ｄに関しても同様である。
【００７９】
以上、本発明を好ましい実施例に基づき説明したが、本発明はこれらの実施例に限定されるものではない。実施例にて説明した液晶表示装置組立体、面状光源装置、液晶表示装置、導光ブロック、光源等の構成、構造は例示であり、適宜変更することができる。
【００８０】
実施例２の説明においては、光源を導光ブロックの底面側に配置したが、これに限るものではない。図８を用いて説明したと同様に、導光ブロックの側面側に光源を配置する構成とすることもできる。また、実施例２においては、導光ブロックを矩形の形状としたが、例えば実施例１において説明した導光ブロックの側面に、光拡散部を配置した構成とすることもできる。
【００８１】
実施例にあっては、導光ブロックにおいて光源が収まる凹部を円柱状としたが、これに限るものではない。例えば、複数の種類の錐面を組み合わせて凹部１３４を構成してもよい。同心状に２つの円錐面を組み合わせて凹部を構成した例を、図１６の（Ａ）及び（Ｂ）に示した。図１６の（Ａ）は、導光ブロックの変形例の模式的な平面図である。図１６の（Ｂ）の左側の図は、導光ブロックの変形例の頂面及び側面の模式的な展開図である。錐面の傾きを異ならせて組み合わせることにより、光源から導光ブロックに入射する光の角度を調整することができる。
【図面の簡単な説明】
【００８２】
【図１】図１の（Ａ）は、実施例１の液晶表示装置組立体１００及び面状光源装置１６０の模式的な概念図である。図１の（Ｂ）は、実施例１の液晶表示装置組立体１００及び面状光源装置１６０の模式的な一部断面図である。
【図２】図２の（Ａ）は、導光ブロックの模式的な平面図である。図２の（Ｂ）の左側の図は、導光ブロックを矢印Ａの方向から見た側面図であり、右側の図は導光ブロックを矢印Ｂの方向から見た側面図である。
【図３】図３は、面状光源装置において中央に配置された導光ブロックと、これに隣接する他の導光ブロックの隣接部の詳細図である。
【図４】図４は、実施例１における拡散板上における輝度分布を説明するための図である。図４の（Ａ）は導光ブロックの配置の模式図である。図４の（Ｂ）は、導光ブロックの頂面上の輝度分布である。図４の（Ｃ）は、拡散板上における輝度分布である。
【図５】図５は、比較例における拡散板上における輝度分布を説明するための図である。図５の（Ａ）は、導光ブロックの配置の模式図である。図５の（Ｂ）は、導光ブロックの頂面上の輝度分布である。図５の（Ｃ）は、拡散板上における輝度分布である。
【図６】図６は、比較例における拡散板上における輝度分布を説明するための図である。図６の（Ａ）は、導光ブロックの配置の模式図である。図６の（Ｂ）は、導光ブロックの頂面上の輝度分布である。図６の（Ｃ）は、拡散板上における輝度分布である。
【図７】図７は、図６の（Ｃ）における輝度のピーク値を基準に正規化した輝度分布のグラフと導光ブロックの配置との関係を示した斜視図である。
【図８】図８の（Ａ）及び（Ｂ）は、導光ブロックの変形例であり、光源を導光ブロックの側面側に配置する場合の一例を示したものである。図８の（Ａ）は導光ブロックの平面図であり、図８の（Ｂ）の左側の図は、導光ブロックを矢印Ａの方向から見た側面図であり、右側は導光ブロックを矢印Ｂの方向から見た側面図である。
【図９】図９の（Ａ）及び（Ｂ）は、導光ブロックについて、導光ブロックが隣接して対向しない部分を直線状とした場合の例である。図９の（Ａ）は、変形例の液晶表示装置組立体及び面状光源装置の模式的な概念図であり、図９の（Ｂ）は、変形例における液晶表示装置組立体及び面状光源装置の模式的な一部断面図である。
【図１０】図１０の（Ａ）及び（Ｂ）は、導光ブロックの頂面の輪郭線を変えた変形例である。図１０の（Ａ）は、変形例の液晶表示装置組立体及び面状光源装置の模式的な概念図であり、図１０の（Ｂ）は、変形例における液晶表示装置組立体及び面状光源装置の模式的な一部断面図である。
【図１１】図１１は、図９と同様に導光ブロックが隣接して対向しない部分を直線状とした場合の変形例である。図１１の（Ａ）は、変形例の液晶表示装置組立体及び面状光源装置の模式的な概念図であり、図１１の（Ｂ）は、変形例における液晶表示装置組立体及び面状光源装置の模式的な一部断面図である。
【図１２】図１２の（Ａ）は、実施例２の液晶表示装置組立体２００及び面状光源装置２６０の模式的な概念図である。図１２の（Ｂ）は、実施例２の液晶表示装置組立体２００及び面状光源装置２６０の模式的な一部断面図である。
【図１３】図１３の（Ａ）は、導光ブロックの模式的な平面図である。図１３の（Ｂ）の左側の図は、導光ブロックの頂面及び側面の模式的な展開図である。
【図１４】図１４は、面状光源装置において中央に配置された導光ブロックと、これに隣接する他の導光ブロックの隣接部の詳細図である。
【図１５】図１５の（Ａ）は、導光ブロックの変形例の模式的な平面図である。図１５の（Ｂ）は、導光ブロックの変形例の頂面及び側面の模式的な展開図である。
【図１６】図１６の（Ａ）は、導光ブロックの変形例の模式的な平面図である。図１５の（Ｂ）は、導光ブロックの変形例の頂面及び側面の模式的な展開図である。
【図１７】図１７の（Ａ）は、背景技術における液晶表示装置組立体の模式的な概念図である。図１の（Ｂ）は、背景技術における液晶表示装置組立体の模式的な一部断面図である。
【図１８】図１８は、導光ブロックの境界における出射光の強度の不均一に起因して、拡散板上において導光ブロックの境界に倣うように相対的に輝度の低い領域が発生する様子を説明するための模式的な正面図である。
【符号の説明】
【００８３】
１，１００，２００・・・液晶表示装置組立体、６０，１６０，２６０・・・面状光源装置、１０・・・液晶表示装置、２０・・・拡散板、４０・・・光源、３０，１３０，２３０・・・導光ブロック、３１，１３１，２３１・・・頂面、３２，１３２，２３２・・・底面、３３，１３３，２３３・・・側面、３４，１３４，２３４・・・凹部、５０・・・筐体、５１・・・底板、５２・・・側板、ＴＡ・・・光透過面、ＤＡ・・・光拡散部
【図１】
2007206398.tif 000003
【図２】
2007206398.tif 000004
【図３】
2007206398.tif 000005
【図８】
2007206398.tif 000006
【図９】
2007206398.tif 000007
【図１０】
2007206398.tif 000008
【図１１】
2007206398.tif 000009
【図１２】
2007206398.tif 000010
【図１３】
2007206398.tif 000011
【図１４】
2007206398.tif 000012
【図１５】
2007206398.tif 000013
【図１６】
2007206398.tif 000014
【図１７】
2007206398.tif 000015
【図１８】
2007206398.tif 000016
【図４】
2007206398.tif 000017
【図５】
2007206398.tif 000018
【図６】
2007206398.tif 000019
【図７】
2007206398.tif 000020